(57)【要約】【課題】システムキッチンのカウンターの構成に関係なく、簡単な構成でカウンター下部の木製部材の結露による腐朽を抑制できる食器洗浄機を提供することを目的とする。【解決手段】排気口を有し、前面側に引出し可能であり、食器類を収容可能に上面が開口した箱状を成す本体と、本体が収納される、前面が開口した箱状の外郭とで構成され、上方にカウンターを有するシステムキッチン内に設置される食器洗浄機であって、外郭の上面の前端部に、排気口からの排気がカウンターの下部に直接排出されないよう抑制する抑制部材を備えたものである。【選択図】図１
2017093937.tif 000002
【特許請求の範囲】
【請求項１】
排気口を有し、前面側に引出し可能であり、食器類を収容可能に上面が開口した箱状を成す本体と、
前記本体が収納される、前面が開口した箱状の外郭とで構成され、上方にカウンターを有するシステムキッチン内に設置される食器洗浄機であって、
前記外郭の上面の前端部に、前記排気口からの排気が前記カウンターの下部に直接排出されないよう抑制する抑制部材を備えた食器洗浄機。
【請求項２】
前記排気口は、前記本体上面側に開口している請求項１に記載の食器洗浄機。
【請求項３】
前記抑制部材は、前記外郭の上面から前記カウンター下部に近づくように、折り曲げられている請求項１あるいは請求項２何れかに記載の食器洗浄機。
【請求項４】
前記抑制部材は、一端側が前記外郭の上面の前端部に取り付けられ、他端側は前面に延びており、前記他端側に前記カウンター下部方向へ折り曲がる折り曲げ部を設けた請求項１〜請求項３何れか１項に記載の食器洗浄機。
【請求項５】
前面側に引出し可能であり、食器類を収容可能に上面が開口した箱状を成す本体と、
前記本体が収納される、前面が開口した箱状の外郭と、で構成され、上方にカウンターを有するシステムキッチン内に設置される食器洗浄機であって、
前記本体は、前記上面側で且つ前記上面の前記開口よりも前記前面寄りに設けられた排気口を有し、前記排気口と前記本体の前記上面の前記開口の間に、前記排気口からの排気が前記カウンターの下部に直接排出されないよう抑制する抑制部材を備えた食器洗浄機。
【請求項６】
前記抑制部材は、一端が前記排気口と前記本体の前記上面の前記開口の間に取り付けられ、途中で前面側へ折り曲げられており、他端側は前記排気口を覆うように前面側へ延設されている請求項５に記載の食器洗浄機。
【請求項７】
前記抑制部材は、前記他端側に前記カウンター下部方向へ折り曲がる、折り曲げ部を設けた請求項６に記載の食器洗浄機。
【発明の詳細な説明】
【技術分野】
【０００１】
本発明は、システムキッチンに組み込まれる食器洗浄機に関するものである。
【背景技術】
【０００２】
食器洗浄機においては、通常、食器の洗浄終了から乾燥に移行する工程で食器洗浄機の本体外に蒸気を排出する。システムキッチンに組み込まれるビルトイン式と呼ばれる食器洗浄機では、その排出した蒸気がシステムキッチンの上面に位置するカウンター下部に使用される木製部材を結露させることがあり、当該木製部材は、使用するたびに食器洗浄機から排出される蒸気によって繰り返し結露することで腐朽してしまうことがある。
【０００３】
そこで従来、カウンター下部の木製部材が腐食しないように、カウンターの木製部材に結露防止のための部材を設けることで、カウンターの木製部材が腐朽しないように構成したものが知られている（例えば、特許文献１参照）。
【先行技術文献】
【特許文献】
【０００４】
【特許文献１】特開２００６−２８８９２８号公報（第３頁、図２)
【発明の概要】
【発明が解決しようとする課題】
【０００５】
特許文献１に記載の技術によれば、カウンター下部の木製部材を覆うように結露防止のための部材を設けているので、木製部材の結露を防止でき、木製部材の腐朽を抑制できるようになっている。
【０００６】
しかしながらシステムキッチンのカウンターの構成は、キッチンメーカー毎、あるいは同じキッチンメーカーでも型名毎に仕様が異なり、木製部材の形状、大きさ、表面の状態等は多種多様である。
【０００７】
そのため、カウンター下部の木製部材に結露防止のための部材を設ける特許文献１に記載の構成では、木製部材が多種多様な形状、大きさ、表面の状態であるので、例えば粘着剤等で貼り付ける構成では、木製部材の大きさが小さく粘着剤が張り付く面積が確保できなかったり、貼り付け面がざらざらしていて粘着性能が確保できなかったり、ということが懸念される。それによって取付けが不確実となって、剥がれ落ちてしまうこともあり、意図する木製部材の結露を防止するという効果を安定して得られない、という課題がある。
【０００８】
また、カウンターの構成は、キッチンメーカー毎、あるいは同じキッチンメーカーでも型名毎に仕様が異なり、木製部材の形状、大きさ、表面の状態等は多種多様で、システムキッチンカウンター下部と食器洗浄機が取り付く高さが異なることがある。よって、システムキッチンカウンター下部と食器洗浄機との隙間が異なることから、食器洗浄機と結露防止のための部材との距離が一定ではなくなるため、システムキッチン毎に木製部材の結露防止の性能が安定しない、という課題がある。
【０００９】
本発明は、前述の課題を解決するためになされたもので、システムキッチンのカウンターの構成に関係なく、簡単な構成でカウンター下部の木製部材の結露による腐朽を抑制できる食器洗浄機を提供することを目的とする。
【課題を解決するための手段】
【００１０】
課題を解決する本発明に係る食器洗浄機は、排気口を有し、前面側に引出し可能であり、食器類を収容可能に上面が開口した箱状を成す本体と、本体が収納される、前面が開口した箱状の外郭とで構成され、上方にカウンターを有するシステムキッチン内に設置される食器洗浄機であって、外郭の上面の前端部に、排気口からの排気がカウンターの下部に直接排出されないよう抑制する抑制部材を備えたものである。
【発明の効果】
【００１１】
本発明によれば、外郭の上面の前端部に、前記排気口からの排気が前記カウンターの下部に直接排出されないよう抑制する抑制部材を備えたので、カウンター下部の木製部材の形状、大きさ、表面の状態等が異なっても、その影響を受けることなく抑制部材を確実に設けることができ、木製部材の結露を防止し、カウンター下部の木製部材の腐朽を抑制するという効果が安定して得られる。
【００１２】
また、外郭の上面の前端部に、排気口からの排気がカウンターの下部に直接排出されないよう抑制する抑制部材を抑制部材を備えたので、カウンター下部の木製部材の形状、大きさ、表面の状態等が異なっても、その影響を受けることなく、使用時において食器洗浄機と抑制部材との距離が常に一定となるため、木製部材の結露を防止し、カウンター下部の木製部材の腐朽を抑制するという効果が安定して得られる。
【図面の簡単な説明】
【００１３】
【図１】本発明の実施の形態１に係る食器洗浄機の構成を示す概略断面図である。
【図２】本発明の実施の形態１に係る食器洗浄機の外郭が見えるようにシステムキッチンから取り外した状態で上面方向から見た要部斜視図である。
【図３】（ａ）本発明の実施の形態２に係る食器洗浄機の構成を示す要部概略断面図、（ｂ）本発明の実施の形態２に係る食器洗浄機の抑制部材単体の斜視図である。
【図４】（ａ）本発明の実施の形態３に係る食器洗浄機の構成を示す要部概略断面図、（ｂ）本発明の実施の形態３に係る食器洗浄機の抑制部材単体の斜視図である。
【図５】（ａ）本発明の実施の形態４に係る食器洗浄機の構成を示す要部概略断面図、（ｂ）本発明の実施の形態４に係る食器洗浄機の抑制部材単体の斜視図である。
【図６】本発明の実施の形態４に係る食器洗浄機の本体の、抑制部材を取り付ける箇所が見えるように外郭から引き出した状態で上面方向から見た要部斜視図である。
【発明を実施するための形態】
【００１４】
実施の形態１
（全体の構成）
図１は、本発明の実施の形態１に係る食器洗浄機の構成を示す概略断面図、図２は本発明の実施の形態１に係る食器洗浄機の外郭が見えるようにシステムキッチンから取り外した状態で上面方向から見た要部斜視図である。図１、２により、本発明の実施の形態１に係る食器洗浄機の概略構成を説明する。
【００１５】
図１に示すように、本発明の実施の形態１に係る食器洗浄機１００はシステムキッチンＫ内に組み込まれて使用される。食器洗浄機１００は、例えば金属材で形成された、前面が開口している箱状の外郭１と、その外郭１の開口している前面側に引き出し可能で、外郭１内に収容可能な本体で構成される。
【００１６】
外郭１は、図２に示す外郭上面１ａ、外郭右側面１ｂと図示しない外郭左側面、外郭底面、外郭後面を有しており、前述のように前面が開口している。その外郭１の開口した前面に収容される本体は、例えば樹脂材で形成された、上面が開口している洗浄槽２と、洗浄槽２から排出された排気が通過する排気経路１６と、排気経路１６を通過した排気を本体外に排気する排気口１７を有している。
【００１７】
洗浄槽２を有する本体は、洗浄槽２の外側に設けられた可動レールと外郭右側面１ｂ及び外郭左側面の内側に設けられた固定レールからなるスライドレール３により、外郭１前面の開口から引き出し可能に外郭１内に収容される。
【００１８】
前述のように洗浄槽２は上面が開口していて、その開口から被洗浄物である食器類４が出し入れ自在である。洗浄槽２の内部には食器かご５が配設されており食器類４は食器かご５に載置される。
【００１９】
洗浄槽２内には、食器類４を洗浄するための洗浄ノズル７が設けられている。洗浄ノズル７は、洗浄槽２の外側底部に取り付けられた洗浄ポンプ６ａによって圧送された洗浄水の噴出による反力によって回転力が与えられ回転することで、洗浄水をまんべんなく食器類４に噴きかけることができる。洗浄ポンプ６ａと洗浄ノズル７で洗浄装置６が構成される。
【００２０】
洗浄槽２内側底部には、食器洗浄機１００の一般的な洗浄、すすぎ、乾燥に至る一連の工程において、洗浄工程及びすすぎ工程では洗浄水を加熱し、乾燥工程では後述する第１の送風装置１３から洗浄槽２内に送風される空気を加熱するヒーター８が配設される。なお、すすぎ工程は洗浄水を加熱するとしたが、すすぎ工程は複数に分かれている場合があり、この複数のすすぎ工程の中には洗浄水を加熱しない工程がある場合もあるので、必ずしもすすぎ工程の全てで洗浄水を加熱するとは限らない。
【００２１】
本体の洗浄槽２の上面開口は、本体の洗浄槽２が外郭１内に収容されると、その動作に連動して下降する中蓋１０で機械的に閉塞される。反対に外郭１から引き出されるとその動作に連動して上昇する。
【００２２】
中蓋１０は外郭１の内側上部に設けられている。中蓋１０は裏面にパッキン１０ａを有し、前後一対のリンクを含む左右一対のリンク機構１０ｂにより上下動可能に取り付けられている。
【００２３】
本体の洗浄槽２が外郭１内に収容されると、その動作に連動してリンク機構１０ｂにより中蓋１０が下降し、外郭１の内部に完全に押し込まれたときに洗浄槽２の上面の開口がパッキン１０ａでシールされ閉塞される。これにより洗浄工程及びすすぎ工程のときの洗浄水は外部に飛散しない。
【００２４】
中蓋１０は、本体の洗浄槽２の収容、引出しに連動して外郭１の内部で、リンク機構１０ｂの動作範囲内で若干の前後移動はあるが、その位置にとどまり洗浄槽２の上面の開口を閉塞、開放するもので、外郭１の内部から外へは出ない。
【００２５】
本体の前方にはドア９が設けられており、ドア９は洗浄槽２が外郭１の内部に完全に押し込まれたときに外郭１の前面を覆うように構成されている。ドア９は、化粧パネル９ａと本体の洗浄槽２を引き出すためのハンドル９ｂとを有し、支持部９ｃを介して洗浄槽２に固定される。
【００２６】
化粧パネル９ａは、食器洗浄機１００が収納されるシステムキッチンＫの扉や引き出し等の前面意匠と同じ意匠、材質のパネルである。ハンドル９ｂは、使用者が本体の洗浄槽２を外郭１の前方へ引き出すときにつかんだり手の指を引っ掛けたりするものであるが、ハンドル９ｂもシステムキッチンＫの扉や引き出しに設けられた図示しないハンドルと同じ意匠、材質である。
【００２７】
よって、本体の洗浄槽２が外郭１に収容されると、システムキッチンＫの前面意匠と同じ意匠、材質で構成されたドア９が外郭１の前面を覆うので、食器洗浄機１００を組み込んでもシステムキッチンＫの意匠の統一性を阻害することがない。なお、本発明の実施の形態１の食器洗浄機では、ドア９に本体を引き出すためのハンドル９ｂを有する形態としたが、ハンドル９ｂがなくてもよく、ドア９の前面に凹状の手掛けを形成し、それを使用して本体を引き出すようにしてもよい。
【００２８】
ドア９の後方、洗浄槽２の上面の開口前方で本体上部には、一連の洗浄、すすぎ、乾燥工程等、洗浄を設定する電源入切ボタン１２ａや運転動作を開始させるスタートボタン１２ｂ、洗浄工程を設定する図示しないボタンを有する操作部１２が設けられている。
【００２９】
洗浄槽２の外側底部には、洗浄槽２内部に本体外部の空気を導入する第１の送風装置１３が設けられている。本体外部の空気は、洗浄槽２内の前方下部に設けられている送風口１４から、第１の送風装置１３により洗浄槽２内部に送り込まれる。
【００３０】
洗浄槽２内部に送り込まれた空気は、洗浄槽２内の前方上部に設けられている排出口１５から排出され、排出口１５に一端が連通する排気経路１６に送りこまれる。排気経路１６は洗浄槽２とドア９の間で本体内に設けられており、下方に屈曲部を配した前後方向にＵ字形に形成され、他端に排気口１７が設けられている。排気口１７は図１に示すようにドア９の後方で、本体の上面側に開口している。よって、排気口１７からの排気は、システムキッチンＫの上方に設けられているカウンター２０の下部へ向かって送りだされる。
【００３１】
排気経路１６の前方に排気経路１６と前後方向で少なくとも一部が面接触し、一端が排気口１７の手前で排気経路１６に合流する送風経路１８が設けられている。送風経路１８は他端に第２の送風装置１９を有する。第２の送風装置１９は本体外部の空気を導入し、第１の送風装置１３により洗浄槽２内から排出口１５と排気経路１６を経由して排出される空気に、本体外部の空気を混合させて排気口１７から本体外へ排気する。
【００３２】
前述のように排気口１７はドア９の後方で、本体の上面側に開口しているので、本体前面に排気用の開口を設けなくてよいので、システムキッチンＫの意匠を損なうことがない。
【００３３】
外郭１の外郭上面前端部１１１には、排気口１７とカウンター２０の下部との間に入り込み、排気口１７を覆うように設けられた抑制部材２１ａが設けられている。抑制部材２１ａは外郭１の外郭上面前端部１１１に取付けられることで、本体の洗浄槽２が外郭１内に完全に収容されると、抑制部材２１ａと排気口１７との位置関係は、組み込まれるシステムキッチンＫの仕様、形態に関係なく常に一定となる。
【００３４】
抑制部材２１ａにより排気口１７からの排気は抑制され、カウンター２０の下部に直接排出されることはない。なお、抑制部材２１ａの取付け方法は特に限定されるものではなく、接着材による貼り付けや、両面テープ等による貼り付け等、可能な方法で取り付けられる。
【００３５】
ドア９の後方で洗浄槽２との間で本体内に設けられた制御装置１１が設けられている。制御装置１１は、操作部１２からの洗浄工程の設定入力により、洗浄装置６やヒーター８の通電、第１の送風装置１３及び第２の送風装置１９の動作を制御する。
【００３６】
（動作）
前述のように構成された食器洗浄機１００の洗浄の流れ、動作を説明する。使用者がドア９に設けられたハンドル９ｂを用い本体の洗浄槽２を外郭１から引き出し、洗浄槽２内に配置された食器かご５に汚れた食器類４を配置する。
【００３７】
次に図示しない洗剤を洗浄槽２内に入れ、操作部１２にある電源入切ボタン１２ａを操作して電源をいれる。その後、図示しない洗浄工程のコース選択ボタンにより運転コースを選択し、スタートボタン１２ｂを操作し、洗浄槽２を外郭１内の収納位置まで押し込む。
【００３８】
このとき、中蓋１０はリンク機構１０ｂにより後方かつ下方に移動し、洗浄槽２の開口を閉塞する。同時に、洗浄槽２が完全に押し込まれた位置にあることを図示しないスイッチが検知して、図示しない信号線で検知信号を制御装置１１に送り、制御装置１１が洗浄運転を開始させる。
【００３９】
次に制御装置１１は、図示しない給水弁を開いて洗浄水となる水道水を洗浄槽２内に給水する。さらに、洗浄槽２内側底部に配置されたヒーター８によって洗浄水を加熱する。食器類４の汚れを落としやすくするためと、洗剤が効果を発揮する適温、例えば６０℃になるようにヒーター８によって洗浄水を加熱しながら、洗浄ノズル７から食器類４に向かって洗浄水を噴射し、食器類４の汚れを落とす洗浄工程を行う。洗浄水の温度は、洗浄槽２内側底部に設けられた温度センサー２２によって検知している。なお、温度センサー２２は空気の温度も検知可能である。
【００４０】
次に、すすぎ工程として複数回洗浄水を入れ替えてすすぎを行う。すすぎ工程の最後に給水した洗浄水はヒーター８によって約８０℃に加熱しながらすすぐ加熱すすぎを行う。この加熱すすぎは、菌等を死滅させるために手洗いではできない高温にしている。
【００４１】
高温の加熱すすぎが終了し洗浄水が排水され、その後、食器類４を乾燥させる乾燥工程が開始され、第１の送風装置１３によって本体外部の空気が洗浄槽２内に導入される。洗浄槽２内は高温のすすぎが終了した直後であり、高温となった洗浄水から発生した高温高湿の蒸気が充満している。
【００４２】
乾燥工程の開始直後には、洗浄槽２内に高温の蒸気が充満しているので、導入された本体外部の空気によって、高温高湿の蒸気が排気経路１６に排出される。高温高湿の蒸気は排気経路１６において、第２の送風装置１９により本体外部の空気と混合されることにより高温は緩和されるが、高湿であるために温度が下がるとより結露しやすい状態となる。
【００４３】
前述のように、排気口１７はドア９の後方で、本体の上面側に開口している。よって、排気口１７からの高湿の排気は、システムキッチンＫの上方に設けられているカウンター２０の下部へ向かって送りだされる。
【００４４】
カウンター２０の下部には、カウンター２０の構造体として、例えば木製のカウンター下部部材２０ａが設けられている。ここでいう木製とは、薄い木の板を重ねて形成された合板、木のおがくずを圧縮して固形にしたもの等、素材が木であるものを含んでいる。
【００４５】
排気口１７とカウンター２０の下部との間には、排気口１７を覆うように外郭１の外郭上面前端部１１１に設けられた抑制部材２１ａが配設されているので、カウンター下部部材２０ａに、高湿の排気が直接噴きつけられることはない。よって、食器洗浄機１００を使用するたびに、カウンター下部部材２０ａが高湿の排気を直接受けて湿潤することがない。
【００４６】
なお、抑制部材２１ａは、カウンター下部部材２０ａが高湿の排気を直接受けないようにするため、キッチンカウンター２０の前端と同じ位置あるいは、化粧パネル９の前端まで延設されていることが望ましく、システムキッチンＫの意匠性も考慮し、キッチンカウンター２０の前端から前方に突出はさせない。また、抑制部材２１ａの長手方向は外郭上面前端部１１１と同じ長さであれば、取付け位置が分かりやすく作業性がよいが、それに限定されるものではなく、排気口の長手寸法よりも大きく、排気口を覆う長さであればよい。
【００４７】
高温高湿の蒸気を排出した後、食器類４の乾燥を促進するため、第１の送風装置１３により洗浄槽２内に導入された本体外部からの空気をヒーター８によって加熱しながら、食器類４および洗浄槽２の内部を乾かす乾燥工程を行い、予め設定された所定の時間を経過した後、あるいは予め設定された所定の温度に到達したことを温度センサー２２で検知した後、制御装置１１は食器洗浄機１００の運転を終了する。
【００４８】
以上のように、本発明の実施の形態１の食器洗浄機によれば、外郭１の外郭上面前端部１１１に、排気口１７からの排気がカウンター２０の下部に直接排出されないよう抑制する抑制部材２１ａを備えたので、木製の構造体であるカウンター下部部材２０ａが、直接高温高湿の受けることがなく、カウンター下部部材２０ａが結露により湿潤し腐朽することを抑制するという効果が安定して得られる。
【００４９】
また、抑制部材２１ａは外郭１の外郭上面前端部１１１に、排気口１７とカウンター２０の下部との間に入り込み、排気口１７を覆うように設けられているので、本発明の実施の形態１の食器洗浄機が組み込まれるシステムキッチンＫの仕様により、カウンター下部部材２０ａの形状、大きさ、表面の状態等が異なっても、その影響を受けることなく抑制部材２１ａを確実に設けることができ、カウンター下部部材２０ａの結露による湿潤を防止できるので、木製の構造体であるカウンター下部部材２０ａの腐朽を抑制するという効果が安定して得られる。
【００５０】
実施の形態２
本発明の実施の形態２に係る食器洗浄機は、本発明の実施の形態１に係る食器洗浄機と抑制部材の形状が異なる。その他の構成は本発明の実施の形態１に係る食器洗浄機と同様の構成である。よって、ここでは本発明の実施の形態１に係る食器洗浄機と異なる抑制部材について図３（ａ）、（ｂ）を用いて説明し、それ以外の説明は省略する。
【００５１】
図３（ａ）は本発明の実施の形態２に係る食器洗浄機の構成を示す要部概略断面図、図３（ｂ）は本発明の実施の形態２に係る食器洗浄機の抑制部材単体の斜視図である。図３（ａ）に示すように、抑制部材２１ｂは外郭１の外郭上面前端部１１１にその一端側が取り付けられている。
【００５２】
図３（ｂ）に示すように、抑制部材２１ｂには立ち上がり部２１ｂ１が設けられていて、立ち上がり部２１ｂ１に連なる前面側折り曲げ片２１ｂ２が設けられている。抑制部材２１ｂは立ち上がり部２１ｂ１があることで抑制部材２１ｂの前面側折り曲げ片２１ｂ２が、排気口１７から距離が離れるようになるので排気されやすくなり、実施の形態１と同様の効果を奏しつつ、排気されやすいことで乾燥性能が向上する。また、立ち上がり部２１ｂ１が邪魔板となり、本体側へ排気が流れにくくなるという効果も得られる。
【００５３】
なお、立ち上がり部２１ｂ１は垂直に立ちあがっていても、前方に傾斜するように立ちあがっていてもよいが、排気を前方に送りやすくできるということから、前方に傾斜するように立ちあがっている方が望ましい。
【００５４】
実施の形態３
本発明の実施の形態３に係る食器洗浄機は、本発明の実施の形態２に係る食器洗浄機と抑制部材の形状が一部異なる。その他の構成は本発明の実施の形態１に係る食器洗浄機と同様の構成である。よって、ここでは本発明の実施の形態２に係る食器洗浄機と一部異なる抑制部材について図４（ａ）、（ｂ）を用いて説明し、それ以外の説明は省略する。
【００５５】
図４（ａ）は本発明の実施の形態３に係る食器洗浄機の構成を示す要部概略断面図、図４（ｂ）は本発明の実施の形態３に係る食器洗浄機の抑制部材単体の斜視図である。図４（ａ）に示すように、抑制部材２１ｃは外郭１の外郭上面前端部１１１にその一端側が取り付けられている。
【００５６】
図４（ｂ）に示すように、抑制部材２１ｃには立ち上がり部２１ｃ１が設けられていて、立ち上がり部２１ｃ１に連なる前面側折り曲げ片２１ｃ２が設けられている。さらに前面側折り曲げ片２１ｃ２には、カウンター２０の下部側へ折り曲がる折り曲げ部２１ｃ３が設けられている。
【００５７】
抑制部材２１ｃは立ち上がり部２１ｃ１があることで抑制部材２１ｃの前面側折り曲げ片２１ｃ２が、排気口１７から距離が離れるようになるので排気されやすくなり、実施の形態２と同様の効果を奏しつつ、排気されやすいことで乾燥性能が向上する。また、立ち上がり部２１ｃ１が邪魔板となり、本体側へ排気が流れにくくなるという効果も得られる。
【００５８】
さらにカウンター２０の下部へ折り曲がる折り曲げ部２１ｃ３が設けられているので、実施の形態１、２と同様の効果を奏しつつ、カウンター２０の下部への排気の侵入防止効果が向上する。
【００５９】
実施の形態４
本発明の実施の形態４に係る食器洗浄機は、本発明の実施の形態１〜３に係る食器洗浄機と抑制部材の形状と取り付け位置が異なる。その他の構成は本発明の実施の形態１に係る食器洗浄機と同様の構成である。よって、ここでは本発明の実施の形態１〜３に係る食器洗浄機と異なる抑制部材の形状と取り付け位置について図５（ａ）、（ｂ）及び図６を用いて説明し、それ以外の説明は省略する。
【００６０】
図５（ａ）、（ｂ）に示すように、抑制部材２１ｄは排気口１７と本体の洗浄槽２の上面の開口との間で、排気口１７の傾斜している外側側壁１７ａにその一端側の傾斜部２１ｄ４が取付けられている。抑制部材２１ｄは傾斜部２１ｄ４から連なる立ち上がり部２１ｄ３、さらに前面側折り曲げ片２１ｄ１へと連なり、排気口１７を覆うように取付けられる。このように取付けられるので、抑制部材２１ｄと排気口１７との位置関係は常に一定となり排気口１７を覆うことができ、カウンター２０の下部への排気の侵入を防止するができる。なお、抑制部材２１ｄの取付け方法は特に限定されるものではなく、接着材による貼り付けや、両面テープ等による貼り付け等、可能な方法で取り付けられる。
【００６１】
以上のように、本発明の実施の形態４の食器洗浄機によれば、抑制部材２１ｄは排気口１７と本体の洗浄槽２の上面の開口との間に、その一端側が取付けられているので、木製の構造体であるカウンター下部部材２０ａが、直接高温高湿の受けることがなく、カウンター下部部材２０ａが結露により湿潤し腐朽することを抑制するという効果が安定して得られる。
【００６２】
また、抑制部材２１ｄと排気口１７との位置関係は常に一定であるので、本発明の実施の形態４の食器洗浄機が組み込まれるシステムキッチンＫの仕様により、カウンター下部部材２０ａの形状、大きさ、表面の状態等が異なっても、その影響を受けることなく抑制部材２１ａを確実に設けることができ、カウンター下部部材２０ａの結露による湿潤を防止できるので、木製の構造体であるカウンター下部部材２０ａの腐朽を抑制するという効果が安定して得られる。
【００６３】
なお、本発明の実施の形態４に係る食器洗浄機の抑制部材２１ｄでは、図５（ｂ）に仮想の破線で示しているが、前面側折り曲げ片２１ｄ１の前端部に、カウンター２０の下部側へ折り曲がる折り曲げ部２１ｄ２を設けてもよい。折り曲げ部２１ｄ２を設けることで、カウンター２０の下部への排気の侵入防止効果が向上する。
【符号の説明】
【００６４】
Ｋ  システムキッチン、１  外郭、１ａ  外郭上面、１ｂ  外郭右側面、２  洗浄槽、３  スライドレール、４  食器類、５  食器かご、６  洗浄装置、６ａ  洗浄ポンプ、７  洗浄ノズル、８  ヒーター、９  ドア、９ａ  化粧パネル、９ｂ  ハンドル、９ｃ  支持部、１０  中蓋、１０ａ  パッキン、１０ｂ  リンク機構、１１  制御装置、１２  操作部、１２ａ  電源入切ボタン、１２ｂ  スタートボタン、１３  第１の送風装置、１４  送風口、１５  排出口、１６  排気経路、１７  排気口、１７ａ  外側側壁（取付け部）、１８  送風経路、１９  第２の送風装置、２０  カウンター、２０ａ  カウンター下部部材、２１ａ  抑制部材、２１ｂ  抑制部材、２１ｂ１  立ち上がり部、２１ｂ２  前面側折り曲げ片、２１ｃ  抑制部材、２１ｃ１  立ち上がり部、２１ｃ２  前面側折り曲げ片、２１ｃ３  折り曲げ部、２１ｄ  抑制部材、２１ｄ１  前面側折り曲げ片、２１ｄ２  折り曲げ部、２１ｄ３  立ち上がり部、２１ｄ４  傾斜部、２２  温度センサー、１００  食器洗浄機  、１１１  外郭上面前端部。
【図１】
2017093937.tif 000003
【図２】
2017093937.tif 000004
【図３】
2017093937.tif 000005
【図４】
2017093937.tif 000006
【図５】
2017093937.tif 000007
【図６】
2017093937.tif 000008